(57)【要約】【課題】  両手が使えるようにして初心者でも怪我なく正確且つ容易にＦＧノット等のノットを作ることができる釣り糸の結線補助装置を提供する。【解決手段】  装置本体１０の両側に弾性を有する細板状の左アーム１１と右アーム１２を逆Ｖ字状となるように取り付け、左アーム１１と右アーム１２の先端に軟質材料からなるキャップ１１ａ，１２ａを取り付け、装置本体１０の両側に先端を折り曲げたメインライン係止部１３，１４を取り付け、装置本体１０の上端両側に突起１５を形成し、装置本体１０の下端に切り込みが形成されたリーダーを係止するためのクリート１６を形成し、装置本体１０の略中央部に通し部１７を取り付け、通し部１７の上方にフランジを備えた円柱状の巻止部１８を取り付け、装置本体１０の上端部に紐材１９を取り付ける。【選択図】図１
2007244239.tif 000002
【特許請求の範囲】
【請求項１】
釣り糸のメインラインとリーダーを結線するために用いる結線補助装置であって、他の場所又は作業者の身体の一部に係留できる係留手段を備えた装置本体にメインラインを横方向に張架するための一対のアームを所定間隔おいて設け、各アームは弾性板で構成するか又はバネで外側へ付勢するように取り付けた剛性板で構成し、張架したメインラインの前後位置を係止するメインライン係止部を装置本体又はアームに設け、リーダーの先端を張架したメインラインと直交させた状態で係止するリーダー係止部を装置本体に設け、リーダーの編み込み作業を両手で行えるようにしたことを特徴とする、釣り糸の結線補助装置。
【請求項２】
装置本体にメインラインを巻き止める巻止部を設けた、請求項１記載の釣り糸の結線補助装置。
【請求項３】
装置本体の係留手段が、上端部に吊り下げ用の紐材を取り付けたものである、請求項１又は２記載の釣り糸の結線補助装置。
【請求項４】
作業者の身体の一部に係止できる補助具を装置本体とは別に設け、補助具にリーダーの途中位置を係止するリーダー係止部を設けた、請求項１〜３いずれか記載の釣り糸の結線補助装置。
【請求項５】
補助具にリーダーを巻き止める巻止部を設けた、請求項４記載の釣り糸の結線補助装置。
【発明の詳細な説明】
【技術分野】
【０００１】
本発明は、釣り糸のメインラインとリーダーを結線するために用いる結線補助装置に関する。
【背景技術】
【０００２】
釣り糸の結線方法の一つであるＦＧノットが非特許文献１に開示されている。図１２（ａ）に示すようにリーダーＢにメインラインＡを八の字状に交差させて編み込み部Ｃを形成し、図１２（ｂ），（ｃ）に示すようにメインラインＡでハーフヒッチを掛け、図１２（ｄ）に示すようにエンドノットを掛け、図１２（ｅ）に示すように余剰の部分を切断することで完成する。Ｄは抜き糸である。
【０００３】
ところで、前記ＦＧノットは両手を駆使して行う作業で熟練を要するものであり、特に指を使う編み込みは強さ加減が一定でないから抜け易く、初心者にとっては難しい作業で不完全な結線となることが多かった。また、締め付け時は強い引っ張り力が求められるが、釣り糸は細いから力を掛けにくく、手や指に怪我をする恐れがあった。
【非特許文献１】”SUNLINE Web Site”、［online］、平成１８年２月１７日、株式会社サンライン、［平成１８年２月２１日検索］、インターネット＜URL:http://www.sunline.co.jp/tester/salt/satou/fg.html＞
【発明の開示】
【発明が解決しようとする課題】
【０００４】
本発明が解決しようとする課題は、従来のこれらの問題点を解消し、両手が使えるようにして初心者でも怪我なく正確且つ容易にＦＧノット等のノットを作ることができる釣り糸の結線補助装置を提供することにある。
【課題を解決するための手段】
【０００５】
かかる課題を解決した本発明の構成は、
１）釣り糸のメインラインとリーダーを結線するために用いる結線補助装置であって、他の場所又は作業者の身体の一部に係留できる係留手段を備えた装置本体にメインラインを横方向に張架するための一対のアームを所定間隔おいて設け、各アームは弾性板で構成するか又はバネで外側へ付勢するように取り付けた剛性板で構成し、張架したメインラインの前後位置を係止するメインライン係止部を装置本体又はアームに設け、リーダーの先端を張架したメインラインと直交させた状態で係止するリーダー係止部を装置本体に設け、リーダーの編み込み作業を両手で行えるようにしたことを特徴とする、釣り糸の結線補助装置
２）装置本体にメインラインを巻き止める巻止部を設けた、前記１）記載の釣り糸の結線補助装置
３）装置本体の係留手段が、上端部に吊り下げ用の紐材を取り付けたものである、前記１）又は２）記載の釣り糸の結線補助装置
４）作業者の身体の一部に係止できる補助具を装置本体とは別に設け、補助具にリーダーの途中位置を係止するリーダー係止部を設けた、前記１）〜３）いずれか記載の釣り糸の結線補助装置
５）補助具にリーダーを巻き止める巻止部を設けた、前記４）記載の釣り糸の結線補助装置
にある。
【発明の効果】
【０００６】
本発明によれば、メインラインの張架後は両手が空くから、リーダーの編み込み作業を両手で容易に行うことができ、初心者でも失敗が少ないものとなる。特にアームが一定の付勢力でメインラインを緊張しているから、確実な編み込みが可能となる。また、作業者の身体の一部に係止できる補助具を用いた場合は、身体を後方へ反らすだけでメインラインを引っ張ることができるから、手で掴んで強く引っ張る必要がなく、手や指への負担が軽減されて怪我を防止することができる。
【発明を実施するための最良の形態】
【０００７】
本発明のアームとしては、薄い金属板からなる弾性板や、やや厚い金属板からなる剛性板を板バネやコイルバネ等を用いて外側（開く方向）へ付勢するように取り付けたものが用いられる。左右のアームの取り付け形態としては、Ｖ字状，Ｕ字状，凹状など様々な形態が用いられる。装置本体の係留手段としては、紐材の他、チェーンやワイヤー，フック等を用いることができる。メインライン係止部は装置本体やアームなど係止し易く且つ容易に外れ難い位置に設けられる。補助具の形状は任意であるが、作業者の身体の一部（衣服やベルト等）に係止できる形状又はフック等の係止具を備えたものが用いられる。装置本体ならびに補助具は金属又はプラスチック或いはそれらの組み合わせで構成される。
【０００８】
以下、本発明の実施例を図面に基づいて具体的に説明する。
【実施例１】
【０００９】
図１は実施例の結線補助装置の装置本体の斜視図、図２は実施例の結線補助装置のボディフックの斜視図、図３〜１０は実施例の結線補助装置を用いた結線作業を示す説明図である。図中、１０は装置本体、１１は左アーム、１１ａはキャップ、１２は右アーム、１２ａはキャップ、１３，１４はメインライン係止部、１５は突起、１６はクリート（リーダー係止部）、１７は通し部、１８は巻止部、１９は紐材（係留手段）、２０はボディフック（補助具）、２１はリーダー係止部、２２は巻止部、２３は通し部、２４は紐材、Ａはメインライン、Ａａはメインライン本線、Ａｂはメインライン支線、Ｂはリーダー、Ｂａはリーダー本線、Ｂｂはリーダー支線、Ｂｃは結び目、Ｃは編み込み部、Ｍは溶解部である。
【００１０】
本実施例の結線補助装置は、図１に示すように装置本体１０の両側に弾性を有する細板状の左アーム１１と右アーム１２を逆Ｖ字状となるように取り付け、左アーム１１と右アーム１２の先端に傷付き及び断線防止のための軟質材料からなるキャップ１１ａ，１２ａを取り付け、装置本体１０の両側に先端を折り曲げたメインライン係止部１３，１４を取り付け、装置本体１０の上端両側に突起１５を形成し、装置本体１０の下端に切り込みを備えたクリート１６を形成し、装置本体１０の略中央部に通し部１７を取り付け、通し部１７の上方にフランジを備えた円柱状の巻止部１８を取り付け、装置本体１０の上端部に紐材１９を取り付けている。
【００１１】
ボディフック２０は、図２に示すようにブロック状に形成され、先端を折り曲げたリーダー係止部２１とフランジを備えた円柱状の巻止部２２と通し部２３を取り付け、側端部に紐材２４を取り付けている。以下、本実施例の結線補助装置を用いたＦＧノットの作り方を図３〜１０に基づいて説明する。
【００１２】
［リーダーの編み込み］
（１）装置本体１０の紐材１９を作業者の目線の高さくらいの固定物に止める。固定物が無い場合は作業者の足先に止める。
（２）図３に示すように、リーダー支線Ｂｂの先端に結び目Ｂｃを作ってクリート１６に止め、ボディフック２０を作業者のベルト等に止めて固定し、装置本体１０の紐材１９とリーダー支線Ｂｂを一直線状に張り、作業者の身体が少し前屈みになるくらいにボディフック２０の巻止部２２へ５回ほど巻き止める。ボディフック２０を使用しない場合は、リーダー本線Ｂａを巻いている糸巻き（図示せず）から５０ｃｍくらい取り出して作業者の尻の下に敷く。
（３）メインライン本線Ａａをリール（図示せず）から出し、装置本体１０の左アーム１１と右アーム１２のキャップ１１ａ，１２ａ間に張架するとともにその前後位置をメインライン係止部１３，１４と突起１５に係止して止める。メインライン本線Ａａは巻止部１８に巻き止める。
（４）リーダー支線Ｂｂをクリート１６から外し、メインライン支線Ａｂの下に配置する。図４（ａ）に示すように、リーダー支線Ｂｂとメインライン支線Ａｂが交差する点を右指でつまみ、その交点を基点にリーダー支線Ｂｂを左手で上から持ち、メインライン支線Ａｂの左側を回るようにして元の位置まで戻し、リーダー支線Ｂｂを引っ張る。
（５）図４（ｂ）に示すように、右指でリーダー支線Ｂｂを上から持ち替えて左手で左アーム１１を持ち、メインライン支線Ａｂの右側を回すようにして元の位置まで戻し、リーダー支線Ｂｂを引っ張る。
（６）図４（ｃ），（ｄ）に示すように、左手にリーダー支線Ｂｂと右手に右アーム１２を持ち替えてメインライン支線Ａｂの左側を回し、元の位置まで戻してリーダー支線Ｂｂを引っ張る。このとき、リーダー支線Ｂｂが５ｃｍ程度出ているように調整する。
（７）このようにして、図４（ａ）〜（ｄ）の工程を繰り返し、片側１回として１５〜２０回編み込んだ後に最後は左を巻き、図４（ｅ）のように編み込み部Ｃを形成する。
【００１３】
［仮止め］
（８）リーダー支線Ｂｂをクリート１６に止め、編み込み部Ｃにシリコン等の潤滑剤を塗布する。編み込み部Ｃの上部を爪で押さえて４ｃｍ程度手前へずらし、左指で編み込み部Ｃの上部を挟んでメインライン支線Ａｂの右側を止め直す。
（９）図５に示すようにメインライン支線Ａｂの右側を右アーム１２から外し、図６に示すようにハーフヒッチで２回仮止めする。このとき、ハーフヒッチの最初は必ず左から下を通して止める。メインライン支線Ａｂを張りながら編み込み部Ｃをきれいに整える。
【００１４】
［締め上げ］
（１０）図７に示すように、リーダー支線Ｂｂをクリート１６から外して作業者の身体を後方へ反らしながらメインライン支線Ａｂを引っ張っていき、編み込み部Ｃの色が変わってきたら緩める。引っ張り過ぎると断線することがあるから、適度な調節が必要である。ボディフック２０を使用しない場合は糸巻き（図示せず）を両手で押さえて引っ張る。
【００１５】
［仕上げ］
（１１）図８に示すように、リーダー支線Ｂｂを再度クリート１６に止め、メインライン本線Ａａをリーダー支線Ｂｂの長さに止め直し、メインライン支線Ａｂで左右のクラブヒッチを２０回ほどする。このとき、メインライン支線Ａｂを張ってしっかりとハーフヒッチで締め上げる。
（１２）図９に示すようにクラブヒッチでさらに１０回ほど止め、図１０に示すようにリーダー支線Ｂｂを適当な長さに切断するとともにメインライン支線Ａｂを３ｍｍほど残して切断し、メインライン支線Ａｂの切断端部をライター等で加熱して溶解させる。
（１３）リーダー本線Ｂａとメインライン本線Ａａを装置本体１０とボディフック２０から外してＦＧノットが完成する。
【００１６】
図１１に示すのは、実施例のアームの他の例である。図１１は実施例の他の例の結線補助装置の装置本体の背面図である。図中、３１は左アーム、３２は右アーム、３３はバネ、３４は枢支部、３５はストッパーである。図１１に示す実施例の他の例は、左アーム３１と右アーム３２を厚みを有する剛性板で構成し、その基端部がバネ３３で外側へ付勢するように取り付け、編み込み中は徐々に内側へ移行できるように構成している。したがって、一定の付勢力でメインラインＡが緊張され、実施例と同様に確実な編み込み作業が行える。その他、符号、構成、作用効果は実施例と同じである。
【産業上の利用可能性】
【００１７】
本発明の釣り糸の結線補助装置は、ＦＧノット・ＳＦノット・ニューＳＦノット等の手法によるメインラインとリーダーの結線作業に用いられる。
【図面の簡単な説明】
【００１８】
【図１】実施例の結線補助装置の装置本体の斜視図である。
【図２】実施例の結線補助装置のボディフックの斜視図である。
【図３】実施例の結線補助装置を用いた結線作業を示す説明図である。
【図４】実施例の結線補助装置を用いた結線作業を示す説明図である。
【図５】実施例の結線補助装置を用いた結線作業を示す説明図である。
【図６】実施例の結線補助装置を用いた結線作業を示す説明図である。
【図７】実施例の結線補助装置を用いた結線作業を示す説明図である。
【図８】実施例の結線補助装置を用いた結線作業を示す説明図である。
【図９】実施例の結線補助装置を用いた結線作業を示す説明図である。
【図１０】実施例の結線補助装置を用いた結線作業を示す説明図である。
【図１１】実施例の他の例の結線補助装置の装置本体の背面図である。
【図１２】従来の釣り糸の結線工程を示す説明図である。
【符号の説明】
【００１９】
１０  装置本体
１１  左アーム
１１ａ  キャップ
１２  右アーム
１２ａ  キャップ
１３，１４  メインライン係止部
１５  突起
１６  クリート（リーダー係止部）
１７  通し部
１８  巻止部
１９  紐材（係留手段）
２０  ボディフック（補助具）
２１  リーダー係止部
２２  巻止部
２３  通し部
２４  紐材
３１  左アーム
３２  右アーム
３３  バネ
３４  枢支部
３５  ストッパー
Ａ  メインライン
Ａａ  メインライン本線
Ａｂ  メインライン支線
Ｂ  リーダー
Ｂａ  リーダー本線
Ｂｂ  リーダー支線
Ｂｃ  結び目
Ｃ  編み込み部
Ｄ  抜き糸
Ｍ  溶解部
【図１】
2007244239.tif 000003
【図２】
2007244239.tif 000004
【図３】
2007244239.tif 000005
【図４】
2007244239.tif 000006
【図５】
2007244239.tif 000007
【図６】
2007244239.tif 000008
【図７】
2007244239.tif 000009
【図８】
2007244239.tif 000010
【図９】
2007244239.tif 000011
【図１０】
2007244239.tif 000012
【図１１】
2007244239.tif 000013
【図１２】
2007244239.tif 000014